(57)【要約】      （修正有）【課題】動作状態の確認が必要な機器、例えば、プログラマブルコントローラにおけるコネクタタイプのＩ／Ｏユニットに対し、ケーブルの接続方法をコネクタ接続から端子台接続に変換するために用いられる保守性の良い状態表示器付きコネクタ／端子台変換アダプタを提供する。【解決手段】コネクタ／端子台変換アダプタは、複数のケーブルが接続される端子台と、Ｉ／Ｏユニットに直接接続するためのコネクタと、前記端子台と前記コネクタとを接続するプリント基板を有し、前記プリント基板に前記ケーブルを介して入出力されるそれぞれの信号の状態を表示する状態表示器を設ける。この構成により、Ｉ／ＯユニットがＬＥＤなどの状態表示器を持たない場合でも、変換アダプタ上に設けられた状態表示器により、信号の状態が一目でわかるため、保守性が向上する。【選択図】図１
0003183952.tif 000002
【実用新案登録請求の範囲】
【請求項１】
複数のケーブルが接続される端子台と、Ｉ／Ｏユニットに直接接続するためのコネクタと、前記端子台と前記コネクタとを接続するプリント基板を有するコネクタ／端子台変換アダプタにおいて、
前記ケーブルを介して入出力されるそれぞれの信号の状態を表示する状態表示器を有することを特徴とするコネクタ／端子台変換アダプタ。
【請求項２】
前記端子台および前記プリント基板の何れか一方、または双方に前記ケーブルから入出力される信号の電圧または波形を測定するための測定部を設けたことを特徴とする請求項１に記載のコネクタ／端子台変換アダプタ。
【請求項３】
前記端子台のピン配列を機能ごとに配列させたことを特徴とする請求項１または２のいずれか１つに記載のコネクタ／端子台変換アダプタ。
【請求項４】
端子台もしくはプリント基板上もしくはそれら両方に、信号の機能名もしくはコネクタのピン番号もしくはそれら両方の表示を有することを特徴とする請求項１〜３のいずれか１つに記載のコネクタ／端子台変換アダプタ。
【考案の詳細な説明】
【技術分野】
【０００１】
本考案は、外部ケーブルとの接続方法がコネクタ接続である機器、例えば、プログラマブルコントローラ（ＰＬＣ）におけるコネクタタイプのＩ／Ｏユニットに対し、ケーブルの接続方法をコネクタ接続から端子台接続に変換するために用いられるコネクタ／端子台変換アダプタに関する。
【背景技術】
【０００２】
外部ケーブルとの接続方法がコネクタ接続である場合、機器ごとに専用のケーブルを作成する必要があり工数がかかる。また、配線の変更・保守にも多大な工数が必要となる場合がある。
【０００３】
そこで、プログラマブルコントローラにおけるコネクタタイプのＩ／Ｏユニットでは、上記の工数を削減するために、ケーブルの接続方法をコネクタ接続から端子台接続に変換するための、図３に示すような中継端子台ユニットを使用するのが一般的である。中継端子台ユニット４０は、プリント基板４２に、複数のケーブル４４が接続される端子台４３、ケーブル５３が接続されるコネクタ４１を備えている。コネクタタイプＩ／Ｏユニット５０は、入出力信号の状態を表示するＬＥＤ５１を備え、コネクタ５２に接続されるケーブル５３を介して中継端子台ユニット４０に接続される。
【０００４】
また、省スペース化・使い勝手の向上を目的としたものとして、Ｉ／Ｏユニットのコネクタに端子台つきのプリント基板を直接接続する、図４のようなコネクタ／端子台変換アダプタが公知である（特許文献１参照）。コネクタ／端子台変換アダプタ７０は、プリント基板７２に、複数のケーブル７４が接続される端子台７３と、コネクタ７１を備え、端子台７３の端子（図示しない）とコネクタ７１のピン（図示しない）とは電気的に接続されている。コネクタタイプＩ／Ｏユニット６０は、入出力信号の状態を表示するＬＥＤと、コネクタ／端子台変換アダプタ７０のコネクタ７１と接続されるコネクタ６１を備えている。
【先行技術文献】
【特許文献】
【０００５】
【特許文献１】特開平６−３３８３５９号公報
【考案の概要】
【考案が解決しようとする課題】
【０００６】
プログラマブルコントローラにおいて、各入力チャネルは点灯するときに入力状態１を表すランプ又は同等の手段を持っていなければならないこと、各出力チャネルは点灯するときに出力状態１を表すランプ又は同等の手段を持っていなければならないことが、欧州規格であるＥＮ６１１３１−２により義務付けられている。そのため、多くのユニットは各入・出力信号の状態を表示するＬＥＤを備えており、ユニット上で、動作状況の確認や、異常発生時の保守を行うことが可能である。
【０００７】
一方、ＥＮ６１１３１−２では、入力・出力状態を表す方法として、ランプと同等の手段での状態表示も認めている。そのため、モニタなどの表示器が備わっているシステムで使用されるＩ／Ｏユニットでは、モニタでの状態表示を前提とし、ＬＥＤなどの状態表示器を持たないものも存在する。
【０００８】
しかし、ＬＥＤなどの状態表示器を持たないＩ／Ｏユニットでは、各信号の状態をシステムのモニタで確認する必要があるため、保守性が良いとはいえず、Ｉ／Ｏユニットの間近で各信号の状態を確認したいとの要求がある。
【０００９】
そこで本考案の目的は、上記従来技術の問題点を解決するために、外部ケーブルとの接続方法がコネクタ接続である機器、例えば、プログラマブルコントローラにおけるコネクタタイプのＩ／Ｏユニットに対し、ケーブルの接続方法をコネクタ接続から端子台接続に変換するために用いられる保守性の良い状態表示器付きコネクタ／端子台変換アダプタを提供することである。
【課題を解決するための手段】
【００１０】
本願の請求項１に係る考案は、複数のケーブルが接続される端子台と、Ｉ／Ｏユニットに直接接続するためのコネクタと、前記端子台と前記コネクタとを接続するプリント基板を有するコネクタ／端子台変換アダプタにおいて、前記ケーブルを介して入出力されるそれぞれの信号の状態を表示する状態表示器を有することを特徴とするコネクタ／端子台変換アダプタである。  
請求項２に係る考案は、前記端子台および前記プリント基板の何れか一方、または双方に前記ケーブルから入出力される信号の電圧または波形を測定するための測定部を設けたことを特徴とする請求項１に記載のコネクタ／端子台変換アダプタである。  
請求項３に係る考案は、前記端子台のピン配列を機能ごとに配列させたことを特徴とする請求項１または２のいずれか１つに記載のコネクタ／端子台変換アダプタである。  
請求項４に係る考案は、端子台もしくはプリント基板上もしくはそれら両方に、信号の機能名もしくはコネクタのピン番号もしくはそれら両方の表示を有することを特徴とする請求項１〜３のいずれか１つに記載のコネクタ／端子台変換アダプタである。
【考案の効果】
【００１１】
本考案により、外部ケーブルとの接続方法がコネクタ接続である機器、例えば、プログラマブルコントローラにおけるコネクタタイプのＩ／Ｏユニットに対し、ケーブルの接続方法をコネクタ接続から端子台接続に変換するために用いられる保守性の良い状態表示器付きコネクタ／端子台変換アダプタを提供できる。
【図面の簡単な説明】
【００１２】
【図１】本考案の実施形態１を説明する図である。
【図２】本考案の実施形態２、３、４を説明する図である。
【図３】従来の中継端子台ユニットを説明する図である。
【図４】従来のコネクタ／端子台変換アダプタを説明する図である。
【考案を実施するための形態】
【００１３】
以下、本考案の実施形態を図面と共に説明する。  
＜実施形態１＞  
本考案の実施形態１の状態表示器付きコネクタ／端子台変換アダプタ２０は、複数のケーブル２５が接続される端子台２３と、コネクタタイプＩ／Ｏユニット１０のコネクタ１１に直接接続するためのコネクタ２１と、端子台２３の端子（図示せず）とコネクタ２１のピン（図示せず）とを電気的に接続するプリント基板２２を有する。
【００１４】
そして、プリント基板２２の端子台２３が取り付けられた側の面に、ケーブル２５を介して入出力されるそれぞれの信号の状態を表示する複数個のＬＥＤ２４が取り付けられている。なお、ＬＥＤ２４をプリント基板２２に配設することに替えて端子台２３に設けても良い。  
一方、コネクタタイプＩ／Ｏユニット１０は、コネクタ１１を備えているものの、ケーブル２５を介して入出力されるそれぞれの信号の状態を表示するためのＬＥＤなどの状態表示器を備えていない。このように、本考案により、変換アダプタを接続するＩ／ＯユニットがＬＥＤなどの状態表示器を持たない場合でも、変換アダプタ上に設けられた信号毎の状態表示器により、信号の状態が一目でわかるため、動作状態の確認・異常の発見が容易になり、保守性が向上する。
【００１５】
＜実施形態２＞  
本考案の実施形態２は、図２に示すように、実施形態１の状態表示器付きコネクタ／端子台変換アダプタ２０において、端子台２３もしくはプリント基板２２上もしくはそれら両方に、各入出力信号の電圧の確認や、波形の観測が可能な箇所（測定部２６）を設ける。具体的には測定用のプローブ（図示せず）と電気的に接続できるように、コネクタ２１のピン（図示せず）や端子台２３の端子（図示せず）と電気的に接続された導体部が測定部２６として設けられている。なお、測定部２６は、端子台２３の測定部２６ａ，２６ｂ、プリント基板２２の測定部２６ｃの何れか一方、または双方にケーブル２５から入出力される信号の電圧または波形を測定する。  
この構成によって、信号状態の詳細な確認が容易に行えるようになるため、保守性が向上する。符号２６ａは端子台２３の上面に設けられた測定部を表している。符号２６ｂは端子台２３の側面に設けられた測定部を表している。符号２６ｃはプリント基板２２に設けられた測定部を表している。
【００１６】
＜実施形態３＞  
本考案の実施形態３は、図２に示すように、実施形態１の状態表示器付きコネクタ／端子台変換アダプタ２０において、端子台２３の端子（図示せず）配列を、電源・コモン・入力・出力といった機能ごとに整列させる。この構成によって、各端子がどのような信号なのかが一目でわかるようになる。これによって、配線ミスの防止に繋がるとともに、保守性が向上する。なお、実施形態２の構成においても、実施形態３の端子配列を行うことができる。
【００１７】
＜実施形態４＞  
本考案の実施形態４は、図２に示すように、実施形態１の状態表示器付きコネクタ／端子台変換アダプタ２０において、端子台２３もしくはプリント基板２２上もしくはそれら両方に、入出力信号の機能名もしくはコネクタ１１のピン番号もしくはそれら両方の表示を行う。符号２７はコネクタ（コネクタ１１）のピン番号を表示する表示部である。符号２８は信号（入出力信号）の機能名を表示する表示部である。これらの表示は、プリント基板２２や端子台２３に印刷したり、シールを貼付することによって行う。この構成によって、各端子がどういった信号なのかが一目でわかるようになるため、配線ミスの防止に繋がるとともに、保守性が向上する。
【符号の説明】
【００１８】
１０  コネクタタイプＩ／Ｏユニット
１１  コネクタ
２０  状態表示器付きコネクタ／端子台変換アダプタ
２１  コネクタ
２２  プリント基板
２３  端子台
２４  ＬＥＤ
２５  ケーブル
２６，２６ａ，２６ｂ，２６ｃ  測定部
２７  コネクタのピン番号の表示部
２８  信号の機能名表示部
４０  中継端子台ユニット
４１  コネクタ
４２  プリント基板
４３  端子台
４４  ケーブル
５０  コネクタタイプＩ／Ｏユニット
５１  ＬＥＤ
５２  コネクタ
５３  ケーブル
６０  コネクタタイプＩ／Ｏユニット
６１  コネクタ
６２  ＬＥＤ
７０  コネクタ／端子台変換アダプタ
７１  コネクタ
７２  プリント基板
７３  端子台
７４  ケーブル
【図１】
0003183952.tif 000003
【図２】
0003183952.tif 000004
【図３】
0003183952.tif 000005
【図４】
0003183952.tif 000006